(57)【要約】【課題】  本発明は、同時に放送される複数のチャンネルの番組を効率よく記録可能なテレビジョン放送受信装置を提供する。【解決手段】  テレビジョン放送信号を記録可能なＲＦキャプチャ手段を備えテレビジョン放送受信装置において、前記ＲＦキャプチャ手段は、アンテナを介して入力されたテレビジョン放送信号から、複数のチャンネルに対応する放送信号を抽出する放送信号抽出手段と、上記放送信号抽出手段により抽出された複数の放送信号を合成する放送信号合成手段と、上記放送信号合成手段により合成されたアナログ合成放送信号をデジタルデータに変換するＡ／Ｄ変換手段と、上記Ａ／Ｄ変換手段により変換されたデジタルデータを記憶する放送信号記憶手段と、上記放送信号記憶手段に記憶されたデジタルデータをアナログ信号に変換するＤ／Ａ変換手段と、を備えて構成されるようにした。【選択図】  図１
2006352775.tif 000002
【特許請求の範囲】
【請求項１】
テレビジョン放送信号を記録可能なＲＦキャプチャ手段と、該キャプチャ手段から出力された放送信号から、所望のチャンネルの放送信号を抽出し、該放送信号から映像信号及び音声信号を生成し出力可能な放送信号処理手段と、を備えたテレビジョン放送受信装置であって、
上記ＲＦキャプチャ手段は、
アンテナを介して入力されたテレビジョン放送信号から、複数のチャンネルに対応する放送信号を抽出する複数の放送信号抽出手段と、
上記放送信号抽出手段により抽出された複数の放送信号を合成する放送信号合成手段と、
上記放送信号合成手段により合成されたアナログ合成放送信号をデジタルデータに変換するＡ／Ｄ変換手段と、
上記Ａ／Ｄ変換手段により変換されたデジタルデータを記憶する放送信号記憶手段と、
上記放送信号記憶手段に記憶されたデジタルデータをアナログ信号に変換するＤ／Ａ変換手段と、
を備えて構成され、
上記放送信号抽出手段はそれぞれ、
上記テレビジョン放送信号に第１局部発振信号を混合して任意のチャンネルの放送信号から第１中間周波数信号を生成する第１周波数変換手段と、
上記第１周波数変換手段の出力から特定周波数範囲の第１中間周波数信号を抽出するフィルタ手段と、
上記フィルタ手段で得られた第１中間周波数信号に第２局部発振信号を混合して第２中間周波数信号を生成する第２周波数変換手段と、を備え、
各チャンネルの放送信号に含まれるネットワークインフォメーションテーブルから取得した周波数情報に基づいて上記第１局部発振信号の周波数が制御されるとともに、上記複数の第２周波数変換手段から出力される第２周波数信号の帯域が連続するように上記第２局部発振信号が制御されることを特徴とするテレビジョン放送受信装置。
【請求項２】
テレビジョン放送信号を記録可能なＲＦキャプチャ手段を備え、
該ＲＦキャプチャ手段は、
アンテナを介して入力されたテレビジョン放送信号から、複数のチャンネルに対応する放送信号を抽出する放送信号抽出手段と、
上記放送信号抽出手段により抽出された複数の放送信号を合成する放送信号合成手段と、
上記放送信号合成手段により合成されたアナログ合成放送信号をデジタルデータに変換するＡ／Ｄ変換手段と、
上記Ａ／Ｄ変換手段により変換されたデジタルデータを記憶する放送信号記憶手段と、
上記放送信号記憶手段に記憶されたデジタルデータをアナログ信号に変換するＤ／Ａ変換手段と、
を備えて構成されることを特徴とするテレビジョン放送受信装置。
【請求項３】
上記放送信号抽出手段を複数備え、
上記複数の放送信号抽出手段はそれぞれ、
上記テレビジョン放送信号に第１局部発振信号を混合して任意のチャンネルの放送信号から第１中間周波数信号を生成する第１周波数変換手段と、
上記第１周波数変換手段の出力から特定周波数範囲の第１中間周波数信号を抽出するフィルタ手段と、
上記フィルタ手段で得られた第１中間周波数信号に第２局部発振信号を混合して第２中間周波数信号を生成する第２周波数変換手段と、
を備え、
各チャンネルの放送信号の周波数情報に基づいて上記第１局部発振信号の周波数が制御されるとともに、上記複数の第２周波数変換手段から出力された第２周波数信号の帯域が連続するように上記第２局部発振信号が制御されることを特徴とする請求項２に記載のテレビジョン放送受信装置。
【請求項４】
上記各チャンネルの放送信号の周波数情報は、各チャンネルの放送信号に含まれるネットワークインフォメーションテーブルから取得されることを特徴とする請求項２又は３に記載のテレビジョン放送受信装置。
【請求項５】
上記Ｄ／Ａ変換手段から出力されたアナログ信号から、所望のチャンネルの放送信号を抽出し、該放送信号から映像信号及び音声信号を生成し出力可能な放送信号処理手段を備えることを特徴とする請求項２から４の何れかに記載のテレビジョン放送受信装置。
【発明の詳細な説明】
【技術分野】
【０００１】
本発明は、デジタル放送等のテレビジョン放送信号を受信可能なテレビジョン放送受信装置に関し、特に、テレビジョン放送信号を効率よく記録可能なＲＦキャプチャ手段を備えたテレビジョン放送受信装置に関する。
【背景技術】
【０００２】
従来、テレビジョン放送受信装置は、テレビジョン放送信号（ＲＦ信号）を受信するためのチューナを備え、テレビジョン放送信号の中から所望するチャンネルに対応する周波数信号を選択受信させ、受信した周波数信号の復調処理等を行い、復調処理等したデータを表示装置や音声出力装置に出力する。このとき、チューナでは、アンテナから入力されたＲＦ信号を周波数の低い中間周波数信号（ＩＦ信号）に変換してから復調処理等を行うのが一般的である。このようなチューナを備えたデジタル放送受信装置に関する技術として、以下の先願技術が提案されている。
【０００３】
例えば、特許文献１には、チャンネル選局時、チューナ手段を所定の選局周波数に設定した際に、ＩＦ信号の周波数誤差を検出し、これに基づいて選局周波数が放送信号の受信周波数となるように選局周波数の引込み制御を行った後、復調データからＩＦ信号の周波数誤差を検出し、これに基づいて選局周波数が放送信号の受信周波数と一致するように選局周波数の引込み制御を行うようにしたデジタル放送選局装置が開示されている。
【０００４】
また例えば、特許文献２には、複数のネットワークからの放送信号を再配信する共聴システムにおいて、再配信された放送信号の再配信周波数を保持する再配信周波数テーブルを備える受信装置における周波数設定方法が開示されている。
【０００５】
また、特許文献３には、デジタル放送波が隣接チャンネルを避けるために周波数オフセットされていた場合に、この周波数オフセットを選局時に自動的に検出し、その結果に基づいて規定周波数帯域にシフトさせることができるデジタル放送受信装置が開示されている。
【０００６】
また、デジタル放送信号のトランスポートストリーム内には、番組のジャンル等の番組を受信するために必要な各種情報を含むネットワークインフォメーションテーブル（ＮＩＴ）を含むパケットが含まれている。特許文献４には、このＮＩＴを利用して、受信機の受信状態が有利なエリアからサービスリストを取得し、受信環境を設定できるようにしたデジタル受信装置が開示されている。
【０００７】
ところで、近年、受信したテレビジョン放送信号を順次記憶媒体に記憶し、過去の番組であっても視聴できるようにした、いわゆるＲＦキャプチャ装置が提供されている。このＲＦキャプチャ装置は、例えば、テレビジョン放送信号から１つのＴＶチャンネル帯域幅（例えば６ＭＨｚ）の信号をＩＦ信号に変換した後、Ａ／Ｄ変換部にてサンプリングして記憶媒体に記憶させるものである。
【特許文献１】特開２００３−１０１３８８号公報
【特許文献２】特開２００４−２６６３６５号公報
【特許文献３】特開２００１−２８５０３２号公報
【特許文献４】特開２００５−０６４７１９号公報
【発明の開示】
【発明が解決しようとする課題】
【０００８】
上述したように、従来のＲＦキャプチャ装置は、通常１つのＴＶチャンネルだけを記憶できる仕様となっており、複数のテレビジョン放送信号を記憶することはできない。また、複数個のチューナを設けることで同時に放送される複数のテレビジョン放送信号を記憶させることは可能であるが、各ＴＶチャンネルの放送信号を個別に記憶させることとなるため、各チューナに対応して記憶媒体を設ける必要がある。または、複数のチューナで抽出され出力された放送信号を一つの記憶媒体に記憶させる場合は、ＴＶチャンネルと記憶したデータとの関連付けを行う必要があり制御が複雑になる。
【０００９】
一方、すべてのテレビジョン放送波の全帯域幅（約７００ＭＨｚ）を記憶させる場合は、蓄積容量が莫大になるため、長時間にわたって全チャンネルの記録を行うことは困難である。
【００１０】
本発明は、同時に放送される複数のチャンネルの番組を効率よく記録可能なテレビジョン放送受信装置を提供することを目的とする。
【課題を解決するための手段】
【００１１】
本発明は、上記課題を解決するためになされたものであり、テレビジョン放送信号を記録可能なＲＦキャプチャ手段を備え、該ＲＦキャプチャ手段は、アンテナを介して入力されたテレビジョン放送信号から、複数のチャンネルに対応する放送信号を抽出する放送信号抽出手段と、上記放送信号抽出手段により抽出された複数の放送信号を合成する放送信号合成手段と、上記放送信号合成手段により合成されたアナログ合成放送信号をデジタルデータに変換するＡ／Ｄ変換手段と、上記Ａ／Ｄ変換手段により変換されたデジタルデータを記憶する放送信号記憶手段と、上記放送信号記憶手段に記憶されたデジタルデータをアナログ信号に変換するＤ／Ａ変換手段と、を備えて構成されることを特徴とするテレビジョン放送受信装置である。
【００１２】
具体的には、上記放送信号抽出手段を複数備え、上記複数の放送信号抽出手段はそれぞれ、上記テレビジョン放送信号に第１局部発振信号を混合して任意のチャンネルの放送信号から第１中間周波数信号を生成する第１周波数変換手段と、上記第１周波数変換手段の出力から特定周波数範囲の第１中間周波数信号を抽出するフィルタ手段と、上記フィルタ手段で得られた第１中間周波数信号に第２局部発振信号を混合して第２中間周波数信号を生成する第２周波数変換手段と、を備え、各チャンネルの放送信号の周波数情報に基づいて上記第１局部発振信号の周波数が制御されるとともに、上記複数の第２周波数変換手段から出力された第２周波数信号の帯域が連続するように上記第２局部発振信号が制御されるようにした。このとき、設けられた放送信号抽出手段の数と同数のチャンネルの放送信号が抽出可能となる。
【００１３】
また、上記各チャンネルの放送信号の周波数情報は、各チャンネルの放送信号に含まれるネットワークインフォメーションテーブルから取得される。例えば、デジタル放送信号のトランスポートストリーム内には、ネットワークインフォメーションテーブルを含むパケットが含まれている。
【００１４】
また、上記Ｄ／Ａ変換手段から出力されたアナログ信号から、所望のチャンネルの放送信号を抽出し、該放送信号から映像信号及び音声信号を生成し出力可能な放送信号処理手段を備えるようにした。
【発明の効果】
【００１５】
本発明によれば、テレビジョン放送信号を記録可能なＲＦキャプチャ手段を備えたテレビジョン放送受信装置において、ＲＦキャプチャ手段は、アンテナを介して入力されたテレビジョン放送信号から、複数のチャンネルに対応する放送信号を抽出する放送信号抽出手段と、放送信号抽出手段により抽出された複数の放送信号を合成する放送信号合成手段と、放送信号合成手段により合成されたアナログ合成放送信号をデジタルデータに変換するＡ／Ｄ変換手段と、Ａ／Ｄ変換手段により変換されたデジタルデータを記憶する放送信号記憶手段と、放送信号記憶手段に記憶されたデジタルデータをアナログ信号に変換するＤ／Ａ変換手段と、を備えて構成されるので、同時に放送される複数のチャンネルの放送信号を効率よく記録することができる。すなわち、ユーザが所望するチャンネルの放送信号だけを抽出して合成し、該合成放送信号をサンプリングして記憶手段に記憶させるので、空きチャンネルとなっている周波数帯域が排除されサンプリングする周波数帯域幅が効率よく圧縮される。したがって、所定時間の放送信号を記録するのに必要な容量が削減されるので、所定容量の記憶手段に放送信号を長時間記録できるようになる。
【００１６】
また、放送信号抽出手段を複数備え、複数の放送信号抽出手段はそれぞれ、テレビジョン放送信号に第１局部発振信号を混合して任意のチャンネルの放送信号から第１中間周波数信号を生成する第１周波数変換手段と、第１周波数変換手段の出力から特定周波数範囲の第１中間周波数信号を抽出するフィルタ手段と、フィルタ手段で得られた第１中間周波数信号に第２局部発振信号を混合して第２中間周波数信号を生成する第２周波数変換手段と、を備えるようにしたので、複数のチャンネルの放送信号を容易に抽出することができる。また、各チャンネルの放送信号の周波数情報に基づいて上記第１局部発振信号の周波数が制御されるとともに、それぞれの第２周波数変換手段から出力された第２周波数信号の帯域が連続するように第２局部発振信号が制御されるようにしたようにしたので、放送信号合成部において複数の第２周波数信号を容易に合成することができる。
【００１７】
また、各チャンネルの放送信号の周波数情報は、各チャンネルの放送信号に含まれるネットワークインフォメーションテーブルから取得されるようにしたので、ユーザは所望のチャンネルを選択するだけで第１局部発振信号の周波数が自動的に制御されることとなる。
【００１８】
さらに、Ｄ／Ａ変換手段から出力された合成放送信号から、所望のチャンネルの放送信号を抽出し、該放送信号から映像信号及び音声信号を生成し出力可能な放送信号処理手段を備えるようにしたので、合成法送信号を元のＲＦ信号に復元しなくても、一般的な表示装置（例えば、液晶モニタ等）や音声出力装置（例えば、スピーカ等）により再生可能なデータを出力することができる。
【発明を実施するための最良の形態】
【００１９】
以下、図を参照して、本発明の実施形態に係るテレビジョン放送受信装置を実施するための最良の形態を詳細に説明する。図１は、本発明に係るテレビジョン放送受信装置１００の要部構成を示すブロック図である。
【００２０】
本実施形態のテレビジョン放送受信装置１００は、図１に示すように、アンテナ１，ＲＦキャプチャ部２，信号セレクタ３，受信処理部（チューナ）４，再生部５，メイン制御部６，入力部７等を備えて構成される。また、テレビジョン放送受信装置１００は、表示装置２００，音声出力装置３００と接続されている。
【００２１】
アンテナ１は、パラボラアンテナやＵＨＦアンテナ等であり、テレビジョン放送信号を受信し、ＲＦ（Radio Frequency）信号をＲＦキャプチャ部２又は信号セレクタ３に出力する。なお、ＣＡＴＶ回線を介してテレビジョン放送信号を受信する場合には、アンテナ１の代わりに、接続ケーブル（図示省略）等が備えられてもよい。
【００２２】
ＲＦキャプチャ部２は、複数の放送信号抽出部２１，２２，２３・・と、放送信号合成部２４と、Ａ／Ｄ変換部２５と、蓄積部（放送信号記憶手段）２６と、Ｄ／Ａ変換部２７と、を備えて構成される。
【００２３】
さらに、放送信号抽出部２１，２２，２３は、アンテナ１を介して入力されたテレビジョン放送信号に第１局部発振信号を混合して任意のチャンネルの放送信号から第１中間周波数信号を生成する第１周波数変換部２１ａ，２２ａ，２３ａと、第１周波数変換部２１ａ，２２ａ，２３ａの出力から特定周波数範囲の第１中間周波数信号を抽出するバンドパス・フィルタ（フィルタ手段）２１ｂ、２２ｂ、２３ｂと、バンドパス・フィルタ２１ｂ，２２ｂ，２３ｂで得られた第１中間周波数信号に第２局部発振信号を混合して第２中間周波数信号を生成する第２周波数変換部２１ｃ，２２ｃ，２３ｃと、を備えて構成される。
【００２４】
放送信号合成部２４は、放送信号抽出部２１，２２，２３，・・により抽出された複数の放送信号（第２中間周波数信号）を合成する。Ａ／Ｄ変換部２５は、放送信号合成部２４から入力されたアナログ合成放送信号をサンプリングしてデジタルデータに変換し、蓄積部２６に出力する。
【００２５】
蓄積部２６は、例えば、ハードディスク装置等により構成され、Ａ／Ｄ変換部２５から入力されたデジタルデータを順次記憶する。また、蓄積部２６に記憶されたデジタルデータを再生させる際には、該デジタルデータがＤ／Ａ変換部２７へ出力される。Ｄ／Ａ変換部２７は、蓄積部２６から出力されたデジタルデータをアナログ信号に変換して信号セレクタ３に出力する。
【００２６】
信号セレクタ３は、チューナ４に接続され、ユーザによる入力部７からの操作信号に基づいて、アンテナ１からのＲＦ信号又はＲＦキャプチャ部２からのアナログ信号のどちらかを選択し、チューナ４に出力する。
【００２７】
チューナ４は、信号セレクタ３で選択された放送信号からユーザが所望するチャンネルの放送信号を抽出し、再生部５に出力する。再生部５は、チューナ４から入力される放送信号に対して復調処理、復号処理等を行うことによって得られた映像信号および音声信号を、各々表示装置２００，音声出力装置３００へ出力する。また、チューナ４及び再生部５で構成される放送信号処理手段は、ＲＦキャプチャ部２から出力されたアナログ信号から所望のチャンネルの放送信号を抽出し、該放送信号から映像信号及び音声信号を生成し出力可能に構成されるのが望ましい。
【００２８】
入力部７は、テレビジョン放送受信装置１００に各種換作に関する入力信号を入力するためのキー等を備え、ユーザにより操作されることにより、各種操作の入力信号がテレビジョン放送受信装置１００に入力される。また、入力部７は、ユーザがメモリ部２３に記憶された番組を選択するための選択キー（図示省略）を備える。
【００２９】
メイン制御部６は、図２に示すように、ＣＰＵ６０，ＲＡＭ６１，ＲＯＭ６２等を備えて構成され、テレビジョン放送受信装置１００の各部（ＲＦキャプチャ部２，信号セレクタ３，チューナ４，再生部５，入力部７等）の制御を行う。
【００３０】
ＣＰＵ６０は、ＲＯＭ６２に格納された処理プログラム等を読み出して、ＲＡＭ６１に展開して実行することにより、テレビジョン放送受信装置１００全体の制御を行う。
【００３１】
ＲＡＭ６１は、ＣＰＵ６０により実行された処理プログラム等を、ＲＡＭ６１内のプログラム格納領域に展開するとともに、入力データや上記処理プログラムが実行される際に生じる処理結果等をデータ格納領域に格納する。
【００３２】
ＲＯＭ６２は、例えば、半導体メモリ等で構成され、ＣＰＵ６０がテレビジョン放送受信装置１００全体を制御する機能を実現させるための各種データ，各種処理プログラム，これらプログラムの実行により処理されたデータ等を記憶する。より具体的には、ＲＯＭ６２は、例えば、図２に示すように、記録プログラム６２ａ，通常放送プログラム６２ｂ，再生プログラム６２ｃ等を格納している。
【００３３】
ＣＰＵ６０は、記録プログラム６２ａを実行することで本発明に係るＲＦキャプチャ処理を実行する。このＲＦキャプチャ処理については後段で詳細に説明する。
【００３４】
また、ＣＰＵ６０は、通常放送プログラム６２ｂを実行することで、信号セレクタ４を制御してアンテナ１から入力されるＲＦ信号をチューナ４に出力させ、チューナ４を制御してユーザが所望するチャンネルの放送信号（中間周波数信号）を抽出し、再生部５に出力させ、再生部５を制御して中間周波数信号に対して復調処理等を行わせ、得られた映像信号や音声信号を各々表示装置２００，音声出力装置３００へ出力させる。
【００３５】
また、ＣＰＵ６０は、再生プログラム６２ｃを実行することで、ユーザが入力部７の選択キー（図示省略）を押下することにより、蓄積部２６に記憶された合成放送信号に含まれる番組の中から指定された番組のデジタルデータをＤ／Ａ変換部２５に出力させ、Ｄ／Ａ変換部２７を制御して蓄積部２６から出力されたデジタルデータをアナログ信号に変換させ、信号セレクタ３を制御して該アナログ信号をチューナ４に出力させる。そして、チューナ４を制御してユーザが所望するチャンネルの放送信号を抽出し、再生部５に出力させ、再生部５を制御して中間周波数信号に対して復調処理等を行わせ、得られた映像信号や音声信号を各々表示装置２００，音声出力装置３００へ出力させる。
【００３６】
次に、上述のような構成の本発明の実施形態に係るテレビジョン放送受信装置１００のＲＦキャプチャ処理について、図３に示すフローチャートを参照して具体的に説明する。なお、ＲＦキャプチャされるチャンネルは、例えば、ユーザが入力部７を操作することが設定することができる。
【００３７】
まず、ＣＰＵ６０は、記録プログラム６２ａを実行することにより、第１周波数変換部２１ａ，２１ｂ，２１ｃを制御して、アンテナ１を介して入力されたＲＦ信号に第１局部発振周波数をミキシングさせて第１中間周波数信号を生成する（ステップＳ１０１）。このとき、ユーザが録画を所望するチャンネルの放送信号の周波数情報に基づいて、第１周波数変換部２１ａ，２１ｂ，２１ｃにおいて周波数変換する際の第１局部発振信号の周波数を制御する（周波数制御手段）。例えば、ユーザが録画を所望するチャンネルの放送信号の周波数がｆ1ＭＨｚ，ｆ2ＭＨｚ，ｆ3ＭＨｚである場合、第１周波数変換部２１ａでは第１局部発振信号の周波数をｆ1＋１００ＭＨｚとして周波数変換し、第１周波数変換部２１ｂでは第１局部発振信号の周波数をｆ2＋１００ＭＨｚとして周波数変換し、第１周波数変換部２１ｃでは第１局部発振信号の周波数をｆ3＋１００ＭＨｚとして周波数変換することで、第１周波数変換部２１ａ，２１ｂ，２１ｃでは１００ＭＨｚの第１中間周波数信号が生成される。
【００３８】
なお、各チャンネルの放送信号の周波数情報は、各チャンネルの放送信号に含まれるネットワークインフォメーションテーブル（ＮＩＴ）から取得してもよいし、チャンネルスキャンにより取得することもできる。
【００３９】
次に、バンドパス・フィルタ２１ｂ，２２ｂ，２３ｂを制御して第１中間周波数信号から特定の周波数範囲（例えば帯域幅６ＭＨｚ）の周波数信号を抽出する（ステップＳ１０２）。ここで、第１周波数変換部２１ａ，２１ｂ，２１ｃから出力される第１中間周波数信号の周波数が同じ場合（例えば、１００ＭＨｚ）は、バンドパス・フィルタ２１ｂ，２２ｂ，２３ｂを共通の仕様とすることができる。
【００４０】
次に、第２周波数変換部２１ｃ，２２ｃ，２３ｃを制御して、バンドバス・フィルタ２１ｂ，２２ｂ，２３ｂから出力された第１中間周波数信号に第２局部発振周波数をミキシングさせて第２中間周波数信号を生成する（ステップＳ１０３）。このとき、第２周波数変換手段２１ｃ，２２ｃ，２３ｃから出力された第２周波数信号の帯域が連続するように、第２周波数変換部２３ａ，２３ｂ，２３ｃにおいて周波数変換する際の第２局部発振信号を制御する（周波数制御手段）。
【００４１】
例えば、第２周波数変換部２３ａでは第２局部発振信号の周波数をｆ4ＭＨｚとして周波数変換し、第２周波数変換部２３ｂでは第２局部発振信号の周波数をｆ4＋６ＭＨｚとして周波数変換し、第１周波数変換部２３ｃでは第２局部発振信号の周波数をｆ4＋１２ＭＨｚとして周波数変換することで、第２周波数変換部２３ａ，２３ｂ，２３ｃで生成される第２中間周波数信号（帯域幅６Ｍｚ）は帯域が連続することになる。このとき、周波数の一番小さい第２中間周波数信号の周波数下限が０ＭＨｚとなるようにするのが望ましい。
【００４２】
次に、放送信号合成部２４を制御して、第２中間周波数信号を合成する（ステップＳ１０４）。ここで、それぞれの第２中間周波数信号の周波数帯域は重なることなく連続するので容易に合成することができる。
【００４３】
次に、Ａ／Ｄ変換部２５を制御して、放送信号合成部２４から入力されたアナログ合成放送信号をサンプリングさせ、デジタルデータに変換する（ステップＳ１０５）。
【００４４】
次に、Ａ／Ｄ変換部２５で生成されたデジタルデータを蓄積部２６に記憶させる（ステップＳ１０６）。
【００４５】
上述したように、本実施形態に係るテレビジョン放送受信装置によれば、ユーザが所望するチャンネルの放送信号だけを抽出して合成し、該合成放送信号をサンプリングして記憶手段に記憶させるので、空きチャンネルとなっている周波数帯域が排除されサンプリングする周波数帯域幅が効率よく圧縮される。例えば、図４に示すように、帯域幅が数１００ＭＨｚのチャンネル１〜５の放送信号をＲＦキャプチャする場合であっても、各チャンネルの放送信号を抽出し、順番に連続するように周波数変換して記憶させるので、サンプリングする周波数帯域幅は３０ＭＨｚ（１放送信号の帯域幅：６ＭＨｚ）に圧縮されることとなる。したがって、所定時間の放送信号を記録するのに必要な容量が削減されるので、所定容量の記憶手段に放送信号を長時間記録できるようになる。
【００４６】
以上、本発明者によってなされた発明を実施形態に基づいて具体的に説明したが、本発明は上記実施形態に限定されるものではなく、その要旨を逸脱しない範囲で変更可能である。
【００４７】
上記実施形態で説明したＲＦキャプチャ部２の構成は一例であり、同様の機能を実現できる構成であればよい。すなわち、アンテナを介して入力されたテレビジョン放送信号から複数のチャンネルに対応する放送信号を抽出し、抽出された複数の放送信号を合成して記憶できる構成であれば、特に制限されない。
【００４８】
また、ＲＦキャプチャ部２を構成する放送信号抽出部の数は限定されず、放送信号抽出部の数を増加させることで、同数のチャンネルの放送信号をキャプチャすることが可能となる。
【図面の簡単な説明】
【００４９】
【図１】本発明に係るテレビジョン放送受信装置の要部構成を示すブロック図である。
【図２】本発明に係るメイン制御部の構成を説明するブロック図である。
【図３】本発明に係るテレビジョン放送受信装置のＲＦキャプチャ処理を説明するフローチャートである。
【図４】複数チャンネルの放送信号をＲＦキャプチャするときの概念図である。
【符号の説明】
【００５０】
１  アンテナ
２  ＲＦキャプチャ部
３  信号セレクタ
４  チューナ
５  再生部
６  メイン制御部
７  入力部
２１，２２，２３  放送信号抽出部
２１ａ，２２ａ，２３ａ  第１周波数変換部
２１ｂ，２２ｂ，２３ｂ  バンドパス・フィルタ
２１ｃ、２２ｃ、２３ｃ  第２周波数変換部
２４  放送信号合成部
２５  Ａ／Ｄ変換部
２６  蓄積部
２７  Ｄ／Ａ変換部
１００  テレビジョン放送受信装置
２００  表示装置
３００  音声出力装置
【図１】
2006352775.tif 000003
【図２】
2006352775.tif 000004
【図３】
2006352775.tif 000005
【図４】
2006352775.tif 000006